(57)【特許請求の範囲】
【請求項１】
制御部で冷凍室用ファンと貯蔵室用ファンの運転時間をそれぞれ積算して、前記各ファンの積算時間が制御部に既設定されている蒸発器の除霜周期に達すると、対応する蒸発器を除霜運転させる２つの蒸発器が備えられた冷蔵庫の除霜運転方法において、
前記冷凍室用蒸発器の除霜周期をＤfとし、前記冷凍室用蒸発器の除霜運転が完了した時から積算された貯蔵室用ファンの運転時間をＳfとする時、
前記貯蔵室用蒸発器が除霜周期に到達した時点（Ｐ１）がＤf−Ｓf＜Ｄf／４の条件を満足すると、前記冷凍室用蒸発器と貯蔵室用蒸発器とを同時に除霜運転させ、
前記貯蔵室用蒸発器が除霜周期に到達した時点（Ｐ１）がＤf／４＜Ｄf−Ｓf＜Ｄf／２の条件を満足すると、前記除霜周期到達時点（Ｐ１）から冷凍室用蒸発器の次の除霜時点までの時間の１／２だけ延長運転した後に冷凍室用蒸発器と貯蔵室用蒸発器とを同時に除霜運転させ、
前記貯蔵室用蒸発器が除霜周期に到達した時点（Ｐ１）がＤf／２＜Ｄf−Ｓfの条件を満足すると、前記貯蔵室用蒸発器のみを除霜運転させることを特徴とする２つの蒸発器が備えられた冷蔵庫の除霜運転方法。
【請求項２】
前記貯蔵室用蒸発器が除霜周期に到達した時点（Ｐ１）がＤf−Ｓf＜Ｄf／４の条件を満足すると、前記貯蔵室用蒸発器が除霜周期に到達した時点又は前記冷凍室用蒸発器が除霜周期に到達した時点の中何れか一時点で２つの蒸発器を同時に除霜運転させることを特徴とする請求項１記載の２つの蒸発器が備えられた冷蔵庫の除霜運転方法。
【請求項３】
前記冷凍室用蒸発器を除霜運転する場合、前記冷凍室及び貯蔵室の室内温度を制御部に既設定されている設定温度範囲の下限値の温度まで低めた後、冷凍室用蒸発器を除霜運転させることを特徴とする請求項１記載の２つの蒸発器が備えられた冷蔵庫の除霜運転方法。
【請求項４】
前記冷凍室用蒸発器の除霜運転時には圧縮機の運転を停止させることを特徴とする請求項３記載の２つの蒸発器が備えられた冷蔵庫の除霜運転方法。
【請求項５】
前記貯蔵室がキムチを熟成させるキムチ熟成モードで運転される時には、前記貯蔵室用蒸発器が除霜周期に到達しても、前記貯蔵室用蒸発器は除霜運転させないようにすることを特徴とする請求項１記載の２つの蒸発器が備えられた冷蔵庫の除霜運転方法。
【請求項６】
制御部で冷凍室用ファンと貯蔵室用ファンの運転時間をそれぞれ積算して、前記各ファンの積算時間が制御部に既設定されている蒸発器の除霜周期に達すると、対応する蒸発器を除霜運転させる２つの蒸発器が備えられた冷蔵庫の除霜運転方法において、
前記貯蔵室用蒸発器の除霜周期をＤrとし、前記貯蔵室用蒸発器の除霜運転が完了した時から積算された冷凍室用ファンの運転時間をＳrとする時、
前記冷凍室用蒸発器が除霜周期に到達した時点（Ｐ２）がＤr−Ｓr＜Ｄr／４の条件を満足すると、前記冷凍室用蒸発器と貯蔵室用蒸発器とを同時に除霜運転させ、
前記冷凍室用蒸発器が除霜周期に到達した時点（Ｐ２）がＤr／４＜Ｄr−Ｓr＜Ｄr／２の条件を満足すると、前記除霜周期到達時点（Ｐ２）から貯蔵室用蒸発器の次の除霜時点までの時間の１／２だけ延長運転した後に冷凍室用蒸発器と貯蔵室用蒸発器とを同時に除霜運転させ、
前記冷凍室用蒸発器が除霜周期に到達した時点（Ｐ２）がＤr／２＜Ｄr−Ｓrの条件を満足すると、前記冷凍室用蒸発器のみを除霜運転させることを特徴とする２つの蒸発器が備えられた冷蔵庫の除霜運転方法。
【請求項７】
前記冷凍室用蒸発器が除霜周期に到達した時点（Ｐ２）がＤr−Ｓr＜Ｄr／４の条件を満足すると、前記冷凍室用蒸発器が除霜周期に到達した時点又は前記貯蔵室用蒸発器が除霜周期に到達した時点の中何れか一時点で２つの蒸発器を同時に除霜運転させることを特徴とする請求項１記載の２つの蒸発器が備えられた冷蔵庫の除霜運転方法。
【請求項８】
前記冷凍室用蒸発器を除霜運転する場合、前記冷凍室及び貯蔵室の室内温度を制御部に既設定されている設定温度範囲の下限値の温度までそれぞれ低めた後、冷凍室用蒸発器を除霜運転させることを特徴とする請求項６記載の２つの蒸発器が備えられた冷蔵庫の除霜運転方法。
【請求項９】
前記冷凍室用蒸発器の除霜運転時には圧縮機の運転を停止させることを特徴とする請求項８記載の２つの蒸発器が備えられた冷蔵庫の除霜運転方法。
【請求項１０】
前記貯蔵室がキムチを熟成させるキムチ熟成モードで運転される時、前記貯蔵室用蒸発器が除霜周期に到達しても前記貯蔵室用蒸発器は除霜運転させないようにすることを特徴とする請求項６記載の２つの蒸発器が備えられた冷蔵庫の除霜運転方法。
【請求項１１】
制御部で圧縮機の運転時間を積算して、前記圧縮機の積算時間が制御部に既設定されている蒸発器の除霜周期に達すると、対応する蒸発器を除霜運転させる２つの蒸発器が備えられた冷蔵庫の除霜運転方法において、
前記冷凍室用蒸発器の除霜周期をＤfとし、前記冷凍室用蒸発器の除霜運転が完了した時から積算された圧縮機の運転時間をＣfとする時、
前記貯蔵室用蒸発器が除霜周期に到達した時点（Ｐ３）がＤf−Ｃf＜Ｄf／４の条件を満足すると、前記冷凍室用蒸発器と貯蔵室用蒸発器とを同時に除霜運転させ、
前記貯蔵室用蒸発器が除霜周期に到達した時点（Ｐ３）がＤf／４＜Ｄf−Ｃf＜Ｄf／２の条件を満足すると、前記除霜周期到達時点（Ｐ３）から冷凍室用蒸発器の次の除霜時点までの時間の１／２だけ延長運転した後に冷凍室用蒸発器と貯蔵室用蒸発器とを同時に除霜運転させ、
前記貯蔵室用蒸発器が除霜周期に到達した時点（Ｐ３）がＤf／２＜Ｄf−Ｃfの条件を満足すると、前記貯蔵室用蒸発器のみを除霜運転させることを特徴とする２つの蒸発器が備えられた冷蔵庫の除霜運転方法。
【請求項１２】
前記貯蔵室用蒸発器が除霜周期に到達した時点（Ｐ３）がＤf−Ｃf＜Ｄf／４の条件を満足すると、前記冷凍室用蒸発器が除霜周期に到達した時点又は前記貯蔵室用蒸発器が除霜周期に到達した時点の中何れか一時点で２つの蒸発器を同時に除霜運転させることを特徴とする請求項１１記載の２つの蒸発器が備えられた冷蔵庫の除霜運転方法。
【請求項１３】
前記冷凍室用蒸発器を除霜運転する場合、前記冷凍室及び貯蔵室の室内温度を制御部に既設定されている設定温度範囲の下限値の温度まで低めた後、冷凍室用蒸発器を除霜運転させることを特徴とする請求項１１記載の２つの蒸発器が備えられた冷蔵庫の除霜運転方法。
【請求項１４】
前記冷凍室用蒸発器の除霜運転時には圧縮機の運転を停止させることを特徴とする請求項１３記載の２つの蒸発器が備えられた冷蔵庫の除霜運転方法。
【請求項１５】
前記貯蔵室がキムチを熟成させるキムチ熟成モードで運転される時、前記貯蔵室用蒸発器が除霜周期に到達しても前記貯蔵室用蒸発器は除霜運転させないようにすることを特徴とする請求項１１記載の２つの蒸発器が備えられた冷蔵庫の除霜運転方法。
【請求項１６】
制御部で圧縮機の運転時間を積算して、前記圧縮機の積算時間が制御部に既設定されている蒸発器の除霜周期に達すると、対応する蒸発器を除霜運転させる２つの蒸発器が備えられた冷蔵庫の除霜運転方法において、
前記貯蔵室用蒸発器の除霜周期をＤrとし、前記貯蔵室用蒸発器の除霜運転が完了した時から積算された圧縮機の運転時間をＣrとする時、
前記冷凍室用蒸発器が除霜周期に到達した時点（Ｐ４）がＤr−Ｃr＜Ｄr／４の条件を満足すると、前記冷凍室用蒸発器と貯蔵室用蒸発器とを同時に除霜運転させ、
前記冷凍室用蒸発器が除霜周期に到達した時点（Ｐ４）がＤr／４＜Ｄr−Ｃr＜Ｄr／２の条件を満足すると、前記除霜周期到達時点（Ｐ４）から貯蔵室用蒸発器の次の除霜時点までの時間の１／２だけ延長運転した後に冷凍室用蒸発器と貯蔵室用蒸発器とを同時に除霜運転させ、
前記冷凍室用蒸発器が除霜周期に到達した時点（Ｐ４）がＤr／２＜Ｄr−Ｃrの条件を満足すると、前記冷凍室用蒸発器のみを除霜運転させることを特徴とする２つの蒸発器が備えられた冷蔵庫の除霜運転方法。
【請求項１７】
前記冷凍室用蒸発器が除霜周期に到達した時点（Ｐ４）がＤr−Ｃr＜Ｄr／４の条件を満足すると、前記冷凍室用蒸発器が除霜周期に到達した時点又は前記貯蔵室用蒸発器が除霜周期に到達した時点の中何れか一時点で２つの蒸発器を同時に除霜運転させることを特徴とする請求項１６記載の２つの蒸発器が備えられた冷蔵庫の除霜運転方法。
【請求項１８】
前記冷凍室用蒸発器を除霜運転する場合、前記冷凍室及び貯蔵室の室内温度を制御部に既設定されている設定温度範囲の下限値の温度まで低めた後、冷凍室用蒸発器を除霜運転させることを特徴とする請求項１６記載の２つの蒸発器が備えられた冷蔵庫の除霜運転方法。
【請求項１９】
前記冷凍室用蒸発器の除霜運転時には圧縮機の運転を停止させることを特徴とする請求項１８記載の２つの蒸発器が備えられた冷蔵庫の除霜運転方法。
【請求項２０】
貯蔵室がキムチを熟成させるキムチ熟成モードで運転される時、前記貯蔵室用蒸発器が除霜周期に到達しても前記貯蔵室用蒸発器は除霜運転させないようにすることを特徴とする請求項１６記載の２つの蒸発器が備えられた冷蔵庫の除霜運転方法。
【発明の詳細な説明】
【０００１】
【発明の属する技術分野】
本発明は冷凍室用蒸発器及び貯蔵室用蒸発器に対して制御部に既設定されている除霜周期を変更することにより、各蒸発器の除霜運転時点が近くなる場合、２つの蒸発器を同時に除霜運転させるようにした２つの蒸発器が備えられた冷蔵庫の除霜運転方法に関する。
【０００２】
【従来の技術】
一般の冷蔵庫は飲食物を氷らせた状態で保管したり、又は野菜及びキムチなどのようなものを低温状態で新鮮に保管するための装置である。
【０００３】
以下、従来の冷蔵庫について図１１を参照して説明する。
【０００４】
図１１は従来の２つの蒸発器が備えられた冷蔵庫を示す概略図であって、これを参照すると、前記冷蔵庫は冷凍室６と貯蔵室７，８とからなり、前記貯蔵室は第１貯蔵室７及び第２貯蔵室８とからなっている。
【０００５】
前記冷凍室６の一側には冷凍室用蒸発器６ａが設けられ、前記貯蔵室７，８の一側には貯蔵室用蒸発器７ａが設けられる。前記冷凍室用蒸発器６ａの近所には冷凍室用ファン６ｂと除霜用ヒータ６ｃが設けられ、前記貯蔵室用蒸発器７ａの近所には貯蔵室用ファン７ｂと除霜用ヒータ７ｃが設けられる。
【０００６】
また、前記冷凍室６と貯蔵室７，８の外部には圧縮機１、凝縮器２、三方バルブ３及び各膨張装置４，５が設けられる。
そして、前記冷凍室６と貯蔵室７，８にはそれぞれ温度センサー（図示せず）が設けられるが、前記温度センサーは冷凍室６と貯蔵室７，８の室内温度を感知してその情報を制御部（図示せず）に提供する。
【０００７】
前記冷凍室６と貯蔵室７，８の室内温度が一定の範囲内で維持されるようにするために、前記制御部には冷凍室６と貯蔵室７，８に対する上限値温度及び下限値温度が各々設定されており、かかる上限値温度と下限値温度の間の範囲を以下では設定温度範囲と称する。
【０００８】
更に、前記各貯蔵室７，８は消費者のボタン操作に従って野菜や果物を保管する貯蔵モードで運転されるか、キムチを保管するキムチ貯蔵モード及びキムチを熟成させる熟成モードで運転される。
この際、前記各貯蔵室７，８の設定温度範囲は貯蔵モード、キムチ貯蔵モード、又は熟成モードによって各々異なるように設定されるべきである。
例えば、前記各貯蔵室７，８は貯蔵モードで約−１〜３℃の範囲で運転され、熟成モードでは約１９〜２１℃程度の範囲で運転され得る。
【０００９】
以下、このような２つの蒸発器が備えられた冷蔵庫においてその作用を説明する。
【００１０】
前記圧縮機１で圧縮した高温高圧冷媒は凝縮器２に圧送され、前記凝縮器２で凝縮した冷媒は三方バルブ３に送られる。
前記冷凍室６及び貯蔵室７，８の内部温度が制御部に既設定された設定温度範囲を満足させないと、前記三方バルブ３はＲ／Ｆサイクルモードに開放される。
この際、前記冷蔵庫は圧縮機１及び凝縮器２を通過した冷媒を三方バルブ３、第２膨張装置５、貯蔵室用蒸発器７ａ及び冷凍室用蒸発器６ａに沿って順次に流動させるＲ／Ｆサイクルを行う。
【００１１】
次に、前記貯蔵室７，８の内部温度が制御部に既設定された設定温度の範囲を満足させると共に、冷凍室６の内部温度が制御部に既設定された設定温度の範囲を満足させないと、前記三方バルブ３はＦサイクルモードに開放される。
この際、前記冷蔵庫は圧縮機１及び凝縮器２を通過した冷媒を三方バルブ３、第１膨張装置４と冷凍室用蒸発器６ａに沿って順次に流動させるＦサイクルを行う。
【００１２】
勿論、前記冷凍室６と貯蔵室７，８の内部温度が制御部に既設定された設定温度の範囲を全て満足させると、前記圧縮機１の運転を停止させ、冷媒の流動を停止させるようにすることは理解可能である。
【００１３】
前記のように、冷蔵庫がＲ／ＦサイクルやＦサイクルで長時間の間運転されることに伴い、各蒸発器６ａ，７ａには霜が結氷する。このような霜は蒸発器の熱交換効率を低下させるので、前記蒸発器に結氷した霜を除去するための除霜運転を行う。
【００１４】
このような除霜運転のために、前記制御部には各蒸発器６ａ，７ａが周期的に除霜運転され得るよう、各蒸発器に対応する除霜周期を予め設定しておく。
即ち、前記制御部は圧縮機１の運転時間を積算して、その圧縮機の運転時間が所定の時間積算されると、各蒸発器を独立的に除霜運転させる。
例えば、圧縮機１の積算された運転時間が１０時間毎に貯蔵室用蒸発器７ａを除霜運転するようにし、圧縮機１の積算された運転時間が２２時間毎に冷凍室用蒸発器６ａを除霜運転するようにする。
【００１５】
前記圧縮機１の積算された運転時間が制御部に既設定された除霜周期に到達すると、除霜運転時点に運転されていた冷却サイクルを終え、各蒸発器の近所に設けられた除霜用ヒータ６ｃ，７ｃを稼動して、蒸発器に結氷された霜を除霜させる。次いで、前記蒸発器の除霜運転が完了し、一定の休止期を経過すると、前記圧縮機を稼動して冷蔵庫をＦサイクル又はＲ／Ｆサイクルで運転する。
【００１６】
一方、前記冷凍室用蒸発器６ａを除霜運転するためには、前記冷蔵庫がＦサイクルで運転中であるか或いはＲ／Ｆサイクルで運転中であるかに関わらず、実行中であった冷却サイクルを終了し、圧縮機１が停止すると、その時始めて除霜運転を行うべきである。これは、冷蔵庫がＦサイクルで運転されるかＲ／Ｆサイクルで運転されるかに関係なく、冷媒は冷凍室用蒸発器６ａに流入されるからである。
【００１７】
これに比べて、前記貯蔵室用蒸発器７ａを除霜運転するためには、前記冷蔵庫がＦサイクルで運転中であれば、圧縮機１の運転を停止せずに貯蔵室用蒸発器の除霜運転が行えるが、冷蔵庫がＲ／Ｆサイクルで運転中であれば、該サイクルを終え、圧縮機の運転が停止すると貯蔵室用蒸発器７ａを除霜運転すべきである。
【００１８】
【発明が解決しようとする課題】
しかしながら、前記圧縮機１の積算された運転時間に従って前記冷凍室用蒸発器６ａと貯蔵室用蒸発器７ａとを独立的に除霜運転するので、一方の蒸発器を除霜運転してから短時間の経過後他方の蒸発器が除霜周期に到達すると、他方の蒸発器を除霜運転しなければならないという問題点がある。
【００１９】
例えば、前記冷蔵庫がＲ／Ｆサイクルで運転されている中に貯蔵室用蒸発器７ａが除霜運転周期に到達すると、前記Ｒ／Ｆサイクルを終え、圧縮機１の運転が停止すると、貯蔵室用蒸発器を除霜運転する。これに、短時間の経過後、冷凍室用蒸発器６ａが除霜周期に到達すると、前記Ｒ／Ｆサイクルを終え、再び圧縮機の運転が停止すると、冷凍室用蒸発器６ａの除霜運転を行うべきである。
従って、前記圧縮機を停止の後再稼動する運転を重ねて繰り返すことになり、前記圧縮機に圧損が発生するだけでなく、冷蔵庫の消費電力を増加させる原因となる。
【００２０】
また、前記貯蔵室及び冷凍室の室内温度がそれぞれ設定温度範囲の上限値の温度に近い状態である時に冷凍室用蒸発器６ａの除霜運転が行われると、前記冷凍室用蒸発器の除霜運転が始まる時間から再び冷凍室用蒸発器の運転が再スタートするまで貯蔵室７，８及び冷凍室６の室内温度が設定温度の上限値温度以上に上昇するという問題点が生じる。
これにより、前記冷凍室６及び貯蔵室７，８の室内温度を再び設定温度の範囲内に低めるために多量の電力が消耗される。
【００２１】
また、前記冷凍室及び貯蔵室が設定温度の範囲を外れて運転されるため、事実上冷凍室と貯蔵室の温度を一定の範囲で維持できなくなる。
最近、冷蔵庫に対する技術動向から見ると、冷凍室及び貯蔵室の室内温度を一定に維持させることにより、キムチなどのような飲食物の固有な味を保つと共に、冷蔵庫の消費電力を減少させることが技術力につながると云えるので、これに対する対応策が要求されている。
【００２２】
そこで、本発明は各蒸発器の除霜運転時に冷凍室用蒸発器と冷蔵室用蒸発器の除霜時点が近づくと、２つの蒸発器を同時に除霜運転することにより、冷蔵庫の消費電力を減少させ、圧縮機の圧損を防止できるようにすることを目的とする。
【００２３】
本発明の他の目的は、蒸発器の除霜運転時に冷凍室及び貯蔵室の室内温度を設定温度の範囲内で安定して維持できるようにすることにある。
【００２４】
【課題を解決するための手段】
このような目的を達成するために、本発明は２つの蒸発器が備えられた冷蔵庫を除霜運転させる場合、一方の蒸発器が除霜時点に到達した時に他方の蒸発器の除霜時点を判断して、２つの蒸発器の除霜時点が近いならば同時に除霜運転させ、そうでないと各々独立的に除霜運転させるようにしている。
【００２５】
そして、前記冷凍室用蒸発器を除霜運転させる時には、冷凍室及び貯蔵室の温度を予め下限値の温度まで低めた後に除霜運転を行うようにした。また、前記貯蔵室が共にキムチ熟成モードで運転される場合、前記貯蔵室用蒸発器が除霜周期に到達しても貯蔵室用蒸発器を除霜運転しないようにすることで、不必要な除霜運転が行われないようにした。
【００２６】
【発明の実施の形態】
以下、本発明の好ましい実施形態を詳細に説明する。
【００２７】
本発明による冷蔵庫は冷凍室用蒸発器と貯蔵室用蒸発器の近所に冷凍室用ファン及び貯蔵室用ファンが各々設けられる。
このような冷蔵庫に関する除霜運転方法は、大体各蒸発器の近所に設けられたファンの運転時間を基準にして蒸発器の除霜時点を決める方法と、圧縮機の運転時間を基準にして蒸発器の除霜時点を決める方法とに分けられる。
【００２８】
本発明による第１実施形態及びその変形例は、ファンの積算運転時間を基準に蒸発器を除霜運転する方法として、これに関して図１Ａ〜図５を参照して説明する。
【００２９】
図１Ａ及び図２Ｂの直線上での丸印は蒸発器の除霜時点を示し、その丸印から下部に描かれた矢印は蒸発器の補正した除霜時点を示すものである。
【００３０】
本発明の第１実施形態は貯蔵室用ファンの積算した運転時間を基準に蒸発器を除霜運転する方法に関する。
【００３１】
まず、制御部に冷凍室用蒸発器６ａと貯蔵室用蒸発器７ａの除霜周期を既設定し、前記制御部で冷凍室用ファン６ｂと貯蔵室用ファン７ｂの運転時間をそれぞれ積算して、前記各ファンの積算時間が制御部に既設定された蒸発器の除霜周期に到達すると、対応する蒸発器を除霜運転させる。
【００３２】
前記冷凍室用蒸発器６ａの除霜周期をＤfとし、冷凍室用蒸発器６ａの除霜運転が完了した時点から積算された貯蔵室用ファン７ｂの運転時間をＳfとする。
この際、前記貯蔵室用蒸発器７ａが除霜周期に到達した時点（Ｐ１）がＤf−Ｓf＜Ｄf／４の条件を満足すると、前記冷凍室用蒸発器６ａと貯蔵室用蒸発器７ａとを同時に除霜運転させ、前記貯蔵室用蒸発器７ａが除霜周期に到達した時点がＤf／４＜Ｄf−Ｓf＜Ｄf／２の条件を満足すると、前記除霜周期到達時点（Ｐ１）から冷凍室用蒸発器６ａの次の除霜時点までの時間の１／２だけ延長運転した後に冷凍室用蒸発器６ａと貯蔵室用蒸発器７ａとを同時に除霜運転させ、前記貯蔵室用蒸発器７ａが除霜周期に到達した時点（Ｐ１）がＤf／２＜Ｄf−Ｓfの条件を満足すると、前記貯蔵室用蒸発器７ａのみを除霜運転させる。
【００３３】
かかる除霜運転方法をより詳細に説明すると、図１Ａのように、前記貯蔵室用蒸発器７ａが除霜周期に達すると、貯蔵室用蒸発器を除霜運転させるに先だって、前記貯蔵室用ファン７ｂの運転時間（Ｓｆ）を判断する。
即ち、前記貯蔵室用蒸発器が除霜周期に到達した時点（Ｐ１）が冷凍室用蒸発器６ａの除霜周期を４等分した区間の中第４区間（Ｄf−Ｓf＜Ｄf／４）内に位置すると判断されると、２つの蒸発器を同時に除霜運転させる。
【００３４】
この際、前記貯蔵室用蒸発器が除霜周期に到達した時点（Ｐ１）がＤf−Ｓf＜Ｄf／４の条件を満足する場合、図１Ａの実線矢印のように、貯蔵室用蒸発器７ａが除霜周期に到達した時点で２つの蒸発器６ａ，７ａを同時に除霜運転したり、或いは点線矢印のように、冷凍室用蒸発器６ａが除霜周期に到達した時点で２つの蒸発器を除霜運転することもできる。
【００３５】
これにより、前記貯蔵室用蒸発器７ａを除霜運転して所定時間後に再び冷凍室用蒸発器６ａを除霜運転させることが防止できる。
【００３６】
また、図１Ｂに示すように、前記貯蔵室用蒸発器７ａが除霜周期に到達した時点（Ｐ１）が冷凍室用蒸発器６ａの除霜周期を４等分した区間の中第３区間（Ｄf／４＜Ｄf−Ｓf＜Ｄf／２）内に位置すると判断されると、２つの蒸発器を同時に除霜運転させる。
【００３７】
この際、前記除霜周期到達時点（Ｐ１）から冷凍室用蒸発器６ａの次の除霜時点までの運転時間を２等分して、前記貯蔵室用蒸発器７ａは１等分した時間だけ延長運転させ、前記冷凍室用蒸発器６ａは１等分した時間だけ短縮運転を行うことにより、図１Ｂの実線矢印のように、２つの蒸発器を同時に除霜運転させる。
勿論、前記貯蔵室用蒸発器を所定の時間延長運転した後２つの蒸発器を同時に除霜運転させ得ることも理解可能である。
【００３８】
このような除霜運転方法は、図１Ａ及び図１Ｂのように、貯蔵室用蒸発器７ａと冷凍室用蒸発器６ａの除霜周期が近いと判断されると、２つの蒸発器を同時に除霜運転させる。
従って、前記冷蔵庫がＲ／Ｆサイクルで運転される途中に除霜運転が始まると、前記冷凍室用蒸発器に冷媒が流入することを防止するために前記圧縮機１を停止した後、冷却運転のために再び稼動させる運転が重ねて繰り返されることが防止できる。
【００３９】
そして、図１Ｃのように、前記冷凍室用蒸発器６ａの除霜時点と貯蔵室用蒸発器７ａの除霜時点とが相当外れている時は、各々の蒸発器を独立的に除霜させる。
【００４０】
かかる冷蔵庫除霜運転方法において、図１Ａ〜図１Ｃに示す運転方法を各々独立的に適用させることができ、上述したように、３つの運転方法を冷蔵庫の除霜運転時に同時に適用できることも理解可能である。
【００４１】
本発明による第１実施形態の変形例は前記冷凍室用ファン６ｂの積算した運転時間を基準に蒸発器を除霜運転する方法に関するもので、その変形例を図２Ａ，Ｂ，Ｃを参照して説明する。
【００４２】
前記貯蔵室用蒸発器７ａの除霜周期をＤrとし、貯蔵室用蒸発器７ａの除霜運転が完了した時点から冷凍室用ファン６ｂの積算された運転時間をＳrとする。
この際、前記冷凍室用蒸発器６ａが除霜周期に到達した時点（Ｐ２）がＤr−Ｓr＜Ｄr／４の条件を満足すると、前記冷凍室用蒸発器６ａと貯蔵室用蒸発器７ａとを同時に除霜運転させ、前記冷凍室用蒸発器６ａが除霜周期に到達した時点（Ｐ２）がＤr／４＜Ｄr−Ｓr＜Ｄr／２の条件を満足すると、前記除霜周期到達時点（Ｐ２）から貯蔵室用蒸発器７ａの次の除霜時点までの時間の１／２だけ冷凍室用蒸発器６ａを延長運転させた後に２つの蒸発器６ａ，７ａを同時に除霜運転させ、前記冷凍室用蒸発器６ａが除霜周期に到達した時点（Ｐ２）がＤr／２＜Ｄr−Ｓrの条件を満足すると、前記冷凍室用蒸発器６ａのみを除霜運転させる。
【００４３】
かかる除霜運転方法をより詳細に説明すると、図２Ａのように、前記貯蔵室用蒸発器６ａが除霜周期に達すると、貯蔵室用蒸発器を除霜運転させるに先だって、前記冷凍室用ファン６ｂの運転時間（Ｓｒ）を判断する。
即ち、前記冷凍室用蒸発器が除霜周期に到達した時点（Ｐ２）が貯蔵室用蒸発器７ａの除霜周期を４等分した区間の中第４区間（Ｄr−Ｓr＜Ｄr／４）内に位置すると判断されると、２つの蒸発器６ａ，７ａを同時に除霜運転させる。
【００４４】
この際、前記冷凍室用蒸発器６ａが除霜周期に到達した時点（Ｐ２）がＤr−Ｓr＜Ｄr／４の条件を満足する場合、図２Ａのように、冷凍室用蒸発器６ａが除霜周期に到達した時点で２つの蒸発器６ａ，７ａを同時に除霜運転したり、或いは点線矢印のように、貯蔵室用蒸発器７ａが除霜周期に到達した時点で２つの蒸発器を同時に除霜運転することもできる。
【００４５】
これにより、前記冷凍室用蒸発器６ａを除霜運転して所定時間後に再び冷凍室用蒸発器７ａを除霜運転させることが防止できる。
【００４６】
また、図２Ｂに示すように、前記冷凍室用蒸発器６ａが除霜周期に到達した時点（Ｐ２）が貯蔵室用蒸発器７ａの除霜周期を４等分した区間の中第３区間（Ｄr／４＜Ｄr−Ｓr＜Ｄr／２）内に位置すると判断されると、２つの蒸発器を同時に除霜運転させる。
【００４７】
この際、前記除霜周期到達時点（Ｐ２）から貯蔵室用蒸発器７ａの次の除霜時点までの運転時間を２等分して、前記冷凍室用蒸発器６ａは１等分した時間だけ延長運転し、前記貯蔵室用蒸発器７ａは１等分した時間だけ短縮運転を行うことにより、図２Ｂの実線矢印のように、２つの蒸発器を同時に除霜運転させる。
勿論、前記冷凍室用蒸発器を所定の時間延長運転した後２つの蒸発器を同時に除霜運転させ得ることも理解可能である。
【００４８】
このような除霜運転方法は、図２Ａ及び図２Ｂのように、冷凍室用蒸発器６ａと貯蔵室用蒸発器７ａの除霜周期が近いと判断されると、２つの蒸発器を同時に除霜運転させる。
従って、前記冷蔵庫がＲ／Ｆサイクルで運転される途中に除霜運転が始まると、前記冷凍室用蒸発器に冷媒が流入することを防止するために前記圧縮機１を停止した後、冷却運転のために再び稼動させる運転が重ねて繰り返されることが防止できる。
【００４９】
そして、図２Ｃのように、前記冷凍室用蒸発器６ａの除霜時点と貯蔵室用蒸発器７ａの除霜時点とが相当外れている時は、各々の蒸発器を独立的に除霜させる。
【００５０】
かかる冷蔵庫除霜運転方法において、図２Ａ〜図２Ｃに示す運転方法を各々独立的に適用させることができ、上述したように、３つの運転方法を冷蔵庫の除霜運転時に同時に適用できることも理解可能である。
【００５１】
図３を参照すると、前記冷凍室用蒸発器６ａを除霜運転する場合、前記冷凍室６及び貯蔵室７，８の室内温度を制御部に既設定された設定温度範囲の下限値の温度まで低めた後に冷凍室用蒸発器６ａの除霜運転を行う。
この際、前記冷蔵庫がＦサイクル及びＲ／Ｆサイクルの中何れか一方のサイクルで運転されても流動冷媒は冷凍室用蒸発器６ａを通過するので、前記２つの蒸発器６ａ，７ａを同時に除霜運転したり或いは冷凍室用蒸発器６ａのみを除霜運転させる時には圧縮機１の運転を停止しなければならない。
【００５２】
これにより、前記冷凍室用蒸発器６ａの除霜運転が始まる時から冷却運転が再スタートするまで、前記冷凍室６及び貯蔵室７，８が外気と熱交換することにより、設定温度範囲の上限値温度以上に上昇することが防止できる。
【００５３】
結局、前記冷凍室６及び貯蔵室７，８の室内温度を設定温度範囲内でより安定的に維持できることから、冷凍室６及び貯蔵室７，８に保管する肉類及びキムチなどのような飲食物の固有な味がより長時間維持される。
【００５４】
図４及び図５を参照すると、前記貯蔵室７，８は第１貯蔵室７，８及び第２貯蔵室７，８からなっており、前記貯蔵室７，８が共にキムチを熟成させるキムチ熟成モードで運転される時には、前記貯蔵室用蒸発器７ａが除霜周期に到達しても前記貯蔵室用蒸発器７ａは除霜運転させない。
即ち、前記貯蔵室７，８が共にキムチ熟成モードで運転される時には、前記貯蔵室用蒸発器７ａと冷凍室用蒸発器６ａとが共に除霜周期に到達しても、前記冷凍室用蒸発器６ａのみ除霜運転させる。
【００５５】
これはキムチ熟成モードでは、キムチ熟成用ヒータを稼動して貯蔵室７，８の温度を約２０℃程度で維持するので、前記貯蔵室用蒸発器７ａに結氷した霜が除霜運転の間に溶けるので、別に除霜運転を行う必要がないからである。
【００５６】
また、前記貯蔵室７，８がキムチ熟成モードで運転される時には、貯蔵室用蒸発器７ａを除霜運転させないため、前記貯蔵室用蒸発器７ａの除霜周期を実質的に延長することができる。これにより、除霜運転時に除霜用ヒータを稼動した後冷却運転時に蒸発器の温度を低めるため必要な電力を減少させることができる。
【００５７】
本発明による第２実施形態及びその変形例は圧縮機１の運転時間を基準に蒸発器を除霜運転させる方法に関するものであって、これについて図６〜図１０を参照して説明する。
【００５８】
図６及び図７に示す直線上での丸印は各蒸発器が除霜周期に到達した時点を示すものであり、前記丸印から下部に描かれた矢印は蒸発器の補正した除霜運転時点を示すものである。
【００５９】
以下、本発明の第２実施形態による除霜運転方法に関して説明する。
【００６０】
制御部に冷凍室用蒸発器６ａと貯蔵室用蒸発器７ａの除霜周期を既設定し、前記制御部で圧縮機１の運転時間を積算して、前記圧縮機の積算時間が制御部に既設定された蒸発器の除霜周期に到達すると、対応する蒸発器を除霜運転させる。
【００６１】
前記冷凍室用蒸発器６ａの除霜周期をＤfとし、冷凍室用蒸発器６ａの除霜運転が完了した時点から積算された圧縮機１の運転時間をＣfとする。
前記貯蔵室用蒸発器７ａが除霜周期に到達した時点（Ｐ３）がＤf−Ｃf＜Ｄf／４の条件を満足すると、前記冷凍室用蒸発器６ａと貯蔵室用蒸発器７ａとを同時に除霜運転させ、前記貯蔵室用蒸発器７ａが除霜周期に到達した時点（Ｐ３）がＤf／４＜Ｄf−Ｃf＜Ｄf／２の条件を満足すると、前記除霜周期到達時点（Ｐ３）から冷凍室用蒸発器６ａの次の除霜時点までの時間の１／２だけ延長運転した後に冷凍室用蒸発器６ａと貯蔵室用蒸発器７ａとを同時に除霜運転させ、前記貯蔵室用蒸発器７ａが除霜周期に到達した時点（Ｐ３）がＤf／２＜Ｄf−Ｃfの条件を満足すると、前記貯蔵室用蒸発器７ａのみを除霜運転させる。
【００６２】
かかる除霜運転方法をより詳細に説明すると、図６Ａのように、前記貯蔵室用蒸発器７ａが除霜周期に達すると、貯蔵室用蒸発器７ａを除霜運転させるに先だって、前記冷凍室用蒸発器が除霜運転完了した時点から積算された圧縮機の運転時間（Ｃｆ）を判断する。
即ち、前記貯蔵室用蒸発器が除霜周期に到達した時点（Ｐ３）が冷凍室用蒸発器６ａの除霜周期を４等分した区間の中第４区間（Ｄf−Ｃf＜Ｄf／４）内に位置すると判断されると、２つの蒸発器を同時に除霜運転させる。
【００６３】
この際、前記貯蔵室用蒸発器７ａが除霜周期に到達した時点（Ｐ３）がＤf−Ｃf＜Ｄf／４の条件を満足する場合、図６Ａの実線矢印のように、貯蔵室用蒸発器７ａが除霜周期に到達した時点で２つの蒸発器６ａ，７ａを同時に除霜運転したり、或いは点線矢印のように、冷凍室用蒸発器６ａが除霜周期に到達した時点で２つの蒸発器を除霜運転することもできる。
【００６４】
これにより、前記貯蔵室用蒸発器７ａを除霜運転して所定時間後に再び冷凍室用蒸発器６ａを除霜運転させることが防止できる。
【００６５】
また、図６Ｂに示すように、前記貯蔵室用蒸発器６ａが除霜周期に到達した時点（Ｐ３）が冷凍室用蒸発器６ａの除霜周期を４等分した区間の中第３区間（Ｄf／４＜Ｄf−Ｃf＜Ｄf／２）内に位置すると判断されると、２つの蒸発器を同時に除霜運転させる。
【００６６】
この際、前記除霜周期到達時点（Ｐ３）から冷凍室用蒸発器６ａの次の除霜時点までの運転時間を２等分して、前記貯蔵室用蒸発器７ａは１等分した時間だけ延長運転させ、前記冷凍室用蒸発器６ａは１等分した時間だけ短縮運転を行うことにより、２つの蒸発器を同時に除霜運転させる。
勿論、前記貯蔵室用蒸発器を所定の時間延長運転した後２つの蒸発器を同時に除霜運転させ得ることも理解可能である。
【００６７】
このような除霜運転方法は、図６Ａ及び図６Ｂのように、冷凍室用蒸発器６ａと貯蔵室用蒸発器７ａの除霜周期が近いと判断されると、２つの蒸発器を同時に除霜運転させる。
従って、前記冷蔵庫がＲ／Ｆサイクルで運転される途中に除霜運転が始まると、前記冷凍室用蒸発器に冷媒が流入することを防止するために前記圧縮機１を停止した後、冷却運転のために再び稼動させる運転が重ねて繰り返されることが防止できる。
【００６８】
そして、図６Ｃのように、前記冷凍室用蒸発器６ａと貯蔵室用蒸発器７ａの除霜時点が相当外れている時は、各々の蒸発器を独立的に除霜させる。
【００６９】
かかる冷蔵庫除霜運転方法において、図６Ａ〜図６Ｃに示す運転方法を各々独立的に適用させることができ、上述したように、３つの運転方法を冷蔵庫の除霜運転時に同時に適用できることも理解可能である。
【００７０】
以上でのように、前記２つの蒸発器の除霜運転時点が近い時には２つの蒸発器を同時に除霜運転させることにより、前記圧縮機１を停止の後再稼動させる運転が重ねて繰り返されることを防止できる。
【００７１】
以下、本発明の第２実施形態に対する変形例を説明する。
【００７２】
前記貯蔵室用蒸発器７ａの除霜周期をＤrとし、貯蔵室用蒸発器７ａの除霜運転が完了した時点から積算された圧縮機の運転時間をＣrとする。
この際、前記冷凍室用蒸発器６ａが除霜周期に到達した時点がＤr−Ｃr＜Ｄr／４の条件を満足すると、前記冷凍室用蒸発器６ａと貯蔵室用蒸発器７ａとを同時に除霜運転させ、前記冷凍室用蒸発器６ａが除霜周期に到達した時点（Ｐ２）がＤr／４＜Ｄr−Ｃr＜Ｄr／２の条件を満足すると、前記除霜周期到達時点（Ｐ４）から貯蔵室用蒸発器７ａの次の除霜時点までの時間の１／２だけ冷凍室用蒸発器６ａを延長運転させた後に２つの蒸発器６ａ，７ａを同時に除霜運転させ、前記冷凍室用蒸発器６ａが除霜周期に到達した時点（Ｐ４）がＤr／２＜Ｄr−Ｃrの条件を満足すると、前記冷凍室用蒸発器６ａのみを除霜運転させる。
【００７３】
かかる除霜運転方法をより詳細に説明すると、図７Ａのように、前記貯蔵室用蒸発器６ａが除霜周期に達すると、貯蔵室用蒸発器を除霜運転させるに先だって、貯蔵室用蒸発器が除霜運転の完了時点から積算された圧縮機の運転時間（Ｃｒ）を判断する。
即ち、前記冷凍室用蒸発器が除霜周期に到達した時点（Ｐ４）が貯蔵室用蒸発器の除霜周期を４等分した区間の中第４区間（Ｄr−Ｃr＜Ｄr／４）内に位置すると判断されると、２つの蒸発器６ａ，７ａを同時に除霜運転させる。
【００７４】
この際、図７Ａの実線矢印のように、冷凍室用蒸発器６ａが除霜周期に到達した時点で２つの蒸発器６ａ，７ａを同時に除霜運転したり、或いは点線矢印のように、貯蔵室用蒸発器７ａが除霜周期に到達した時点で２つの蒸発器を同時に除霜運転することもできる。
【００７５】
これにより、前記冷凍室用蒸発器６ａを除霜運転して所定時間後に再び冷凍室用蒸発器７ａを除霜運転させることが防止できる。
【００７６】
また、図７Ｂに示すように、前記冷凍室用蒸発器６ａが除霜周期に到達した時点（Ｐ４）が貯蔵室用蒸発器７ａの除霜周期を４等分した区間の中第３区間（Ｄr／４＜Ｄr−Ｃr＜Ｄr／２）内に位置すると判断されると、２つの蒸発器を同時に除霜運転させる。
この際、前記除霜周期到達時点（Ｐ４）から貯蔵室用蒸発器７ａの次の除霜時点までの運転時間を２等分して、前記冷凍室用蒸発器６ａは１等分した時間だけ延長運転し、前記貯蔵室用蒸発器７ａは１等分した時間だけ短縮運転を行うことにより、２つの蒸発器を同時に除霜運転させる。
勿論、前記冷凍室用蒸発器を所定の時間延長運転した後２つの蒸発器を同時に除霜運転させ得ることも理解可能である。
【００７７】
このような除霜運転方法は、図２Ａ及び図２Ｂのように、冷凍室用蒸発器６ａと貯蔵室用蒸発器７ａの除霜周期が近いと判断されると、２つの蒸発器を同時に除霜運転させる。
従って、前記冷蔵庫がＲ／Ｆサイクルで運転される途中に除霜運転が始まると、前記冷凍室用蒸発器に冷媒が流入することを防止するために前記圧縮機１を停止した後、冷却運転のために再び稼動させる運転が重ねて繰り返されることが防止できる。
【００７８】
そして、図７Ｃのように、前記冷凍室用蒸発器６ａの除霜時点と貯蔵室用蒸発器７ａの除霜時点とが相当外れている時は、各々の蒸発器を独立的に除霜させる。
【００７９】
かかる冷蔵庫除霜運転方法において、図７Ａ〜図７Ｃに示す運転方法を各々独立的に適用させることができ、上述したように、図７の３つの運転方法を同時に適用できることも理解可能である。
【００８０】
図８を参照すると、前記冷凍室用蒸発器６ａを除霜運転する場合、前記冷凍室６及び貯蔵室７，８の室内温度を制御部に既設定されている設定温度範囲の下限値の温度まで各々低めた後、冷凍室用蒸発器６ａの除霜運転を行う。
この際、前記冷蔵庫がＦサイクル及びＲ／Ｆサイクルの何れか一方のサイクルで運転されても流動冷媒は冷凍室用蒸発器６ａを通過するので、前記２つの蒸発器を同時に除霜運転させる時、或いは冷凍室用蒸発器６ａのみを除霜運転させる時には圧縮機１の運転を停止させなければならない。
【００８１】
これにより、前記冷凍室用蒸発器６ａの除霜運転が始まる時から冷却運転が再スタートするまで前記冷凍室６及び貯蔵室７，８が外気と熱交換することにより、設定温度範囲の上限値温度の以上に上昇することを防止することができる。
結局、前記冷凍室６及び貯蔵室７，８の室内温度を設定温度範囲でより安定的に維持させることから、冷凍室６及び貯蔵室７，８に保管される肉類及びキムチなどのような飲食物の固有な味がより長時間維持される。
【００８２】
そして、図９及び図１０に示すように、前記貯蔵室７，８がキムチを熟成させるキムチ熟成モードで運転される時、前記圧縮機１の積算された運転時間が貯蔵室用蒸発器７ａの除霜周期に到達しても前記貯蔵室用蒸発器７ａは除霜運転させない。
即ち、前記貯蔵室７，８が共にキムチ熟成モードで運転される時には、前記貯蔵室用蒸発器７ａと冷凍室用蒸発器６ａが共に除霜周期に到達しても、前記冷凍室用蒸発器６ａのみ除霜運転させる。
これはキムチ熟成モードでは、キムチ熟成用ヒータを稼動して貯蔵室７，８内のキムチ熟成温度を約２０℃程度に維持するので、前記貯蔵室用蒸発器７ａに結氷された霜が除霜時間の間溶けるので、別に除霜運転を行う必要はないからである。
【００８３】
また、前記貯蔵室７，８がキムチ熟成モードで運転される時には貯蔵室用蒸発器７ａの除霜運転を行わないので、前記貯蔵室用蒸発器７ａの除霜周期を実質的に延長できることは上述した通りである。
【００８４】
以上でのように、本発明による蒸発器の除霜運転方法は、蒸発器の除霜周期を４つの区間に分け、各蒸発器の除霜時点が近い場合には蒸発器を同時に除霜運転させるようにしたことを一例に挙げ説明している。
従って、本発明は蒸発器の除霜周期を４つの区間に分けることに限定されず、その以上の多数の区間に分けて、前記蒸発器の除霜時点が近い場合には蒸発器を同時に除霜させ得るようにしたことを技術的思想としている。
【００８５】
【発明の効果】
本発明による２つの蒸発器が備えられた冷蔵庫の除霜運転方法は次のような効果が得られる。
【００８６】
第一に、各蒸発器の除霜運転時点が近い時は２つの蒸発器を同時に除霜運転することにより、前記圧縮機を停止し且つ稼動する運転が重ねて繰り返されることを防止できる。これにより、前記圧縮機の圧損を防止し、圧縮機を重ねて停止し且つ再スタート運転するに消費される電力を減少させることができる。
【００８７】
第二に、冷凍室及び貯蔵室を下限値の温度まで冷却させた後に冷凍室用蒸発器を除霜運転させることにより、前記冷凍室用蒸発器の除霜運転時に外気によって冷凍室及び貯蔵室が上限値の温度まで上昇することを防止できる。
従って、前記冷凍室及び貯蔵室が設定温度の範囲内でより安定的に運転されるようにした。
これにより、前記冷凍室と貯蔵室に保管するキムチや野菜及び肉類などが新鮮な状態で長時間保管でき、その味が維持されるようにした。
【００８８】
第三に、前記貯蔵室が共にキムチ熟成モードで運転される場合に、前記貯蔵室用蒸発器は除霜周期に到達しても除霜運転させないようにすることで、無駄な除霜運転が行われないようにした。これにより、前記貯蔵室用蒸発器に対する除霜周期を実質的に延長することで、蒸発器の除霜運転時における消費電力を減少させることができる。
【図面の簡単な説明】
【図１】本発明による第１実施形態として、貯蔵室用ファンの積算された運転時間に従って各蒸発器を除霜運転する方法を示す線図である。
【図２】図１Ａ〜図１Ｃの変形例として冷凍室用ファンの積算された運転時間に従って各蒸発器を除霜運転する方法を示す線図である。
【図３】図１Ａ及び図２Ｃのような除霜運転時に冷凍室及び貯蔵室の温度を下限値の温度まで低めた後に除霜運転する方法を示す線図である。
【図４】図１Ａ及び図２Ｃのような除霜運転時、貯蔵室が共に熟成モードで運転される時に行う除霜運転方法を示す線図である。
【図５】図１Ａ及び図２Ｃのような除霜運転時、貯蔵室が共に熟成モードで運転される時に行う除霜運転方法を示す線図である。
【図６】本発明による第２実施形態として、冷凍室用蒸発器の除霜完了時点から積算した圧縮機の運転時間に従って各蒸発器を除霜運転する方法を示す線図である。
【図７】図６Ａ〜図６Ｃの変形例として、貯蔵室用蒸発器の除霜完了時点から積算した圧縮機の運転時間に従って各蒸発器を除霜運転する方法を示す線図である。
【図８】図６Ａ及び図７Ｃのような除霜運転時、冷凍室及び貯蔵室の温度を下限値の温度まで低めた後に行う除霜運転方法を示す線図である。
【図９】図６Ａ及び図７Ｃのような除霜運転時、貯蔵室が共に熟成モードで運転される時に行う除霜運転方法を示す線図である。
【図１０】図６Ａ及び図７Ｃのような除霜運転時、貯蔵室が共に熟成モードで運転される時に行う除霜運転方法を示す線図である。
【図１１】従来の２つの蒸発器が備えられた冷蔵庫システムを示す概略図である。
【符号の説明】
１…圧縮機
２…凝縮器
３…三方バルブ
４…第１膨張装置
５…第２膨張装置
６…冷凍室
６ａ…冷凍室用蒸発器
６ｂ…冷凍室用ファン
７…第１貯蔵室
７ａ…貯蔵室用蒸発器
７ｂ…貯蔵室用ファン
６ｃ，７ｃ…除霜用ヒータ
８…第２貯蔵室
【図１】
0004068390.tif 000002
【図２】
0004068390.tif 000003
【図３】
0004068390.tif 000004
【図４】
0004068390.tif 000005
【図５】
0004068390.tif 000006
【図６】
0004068390.tif 000007
【図７】
0004068390.tif 000008
【図８】
0004068390.tif 000009
【図９】
0004068390.tif 000010
【図１０】
0004068390.tif 000011
【図１１】
0004068390.tif 000012